(57)【要約】【課題】  コストダウンを図るとともに迅速な収容収容ができ、さらにローラや光ディスクに負担をかけるのを防止することのできる光ディスク装置を提供する。【解決手段】  光ディスク１２を本体１３内部に挿入して積層収容する際に、収容開始操作手段６によって光ディスク１２の収容動作を開始させると、一対のローラ１４、１４が回転し始めて光ディスク１２の収容が可能な状態となる。その後、ディス１２クを挿脱口１１から挿入して、順次光ディスク１２の収容動作を行う。このため、従来のように、挿入される光ディスクを検知する高価な光センサを設ける必要がないため、光ディスク装置１０のコストダウンを図ることができる。また、透過性の光ディスク１２の挿入も可能である。さらに、光ディスク１２を挿入する前に挿脱ローラ１４を回転させるので、光ディスク１２を検知してからローラ１４の回転を開始する場合に比べて、迅速な挿入・収容が可能になるとともに、ローラ１４や光ディスク１２への負担を減少させることができる。【選択図】  図１
2005327418.tif 000002
【特許請求の範囲】
【請求項１】
光ディスクを内部に積層収容可能な本体と、
前記本体の内部に対して前記各光ディスクを挿脱可能な挿脱口と、
前記本体の内部に設けられ、回転することにより前記光ディスクを前記本体の内部へ搬送するローラと、
前記各光ディスクを前記本体の内部に順次収容する収容動作を開始させるための収容開始操作手段とを備える光ディスク装置であって、
前記収容開始手段が操作されたときに前記ローラが回転を開始するディスク再生装置。
【請求項２】
前記ローラが前記本体の内部における前面部に設置されている請求項１記載の光ディスク装置。
【発明の詳細な説明】
【技術分野】
【０００１】
本発明は、光ディスクの種類あるいは形状を識別して装置本体内部に光ディスクを収納できる光ディスク装置に関するものである。
【背景技術】
【０００２】
従来の光ディスク装置１００は、図４および図５に示すように、基台１０１を備えており、基台１０１には、挿入された光ディスク１０２の通過方向（すなわち、ローディング方向およびイジェクト方向）に略直交する幅方向（矢印１０３ａ）の移動を規制し、挿入経路を形成する光ディスクガイド部材１０４が設けられている。
また、挿入された光ディスク１０２に接触し、動力を伝達することによって光ディスク１０２を搬送し、光ディスク１０２のローディングおよびイジェクトを行うために挿入された光ディスク１０２に対して下方向（矢印１０３ｂ）に付勢されるローラ１０５が設けられている。さらに、ローラ１０５に設けられたギヤ１０５ａと係合し、ローラ１０５を回転させる図示省略の動力源が設けられている（例えば特許文献１参照）。
【０００３】
この光ディスク装置１００では、光ディスクガイド部材１０４に対してローラ１０５側に、光ディスク１０２が挿入された際に光ディスク１０２の外周と接触する軸部１０６ａを有するレバー部材１０６が設けられている。
また、複数の受光素子１０７ａ、１０７ｂ、１０７ｃ、１０７ｄや、レバー部材１０６に設けられた突起１０６ｂに接触することでレバー部材１０６の変位を検出するブッシュスイッチ１０８ａ、１０８ｂを備えている。
【０００４】
なお、ブッシュスイッチ１０８ｂは、レバー部材１０６が矢印１０３ｃの方向の最大変位を検出する位置に設けられており、１２ｃｍ光ディスク１０２を検出することができるようになっている。なお、透明の光ディスクについても検出できるようになっている。
また、受光素子１０７ａ、１０７ｂ、１０７ｃ、１０７ｄに対向して検出光を発する図示省略の発光素子が各々設けられており、光ディスク１０２によって検出光が遮断されることにより通過する光ディスク１０２を検出するようになっている。
【０００５】
従って、前述したような光ディスク装置１００では、図６に示したように、スタートしたら（ステップＳＳ）、光ディスク１０２を収容するためのロードボタン（図示省略）を押して（ステップＳ１０１）光ディスク１０２の収容収容動作であることを示して、光ディスク１０２を挿入する。
受光素子１０７ａ、１０７ｂ、１０７ｃ、１０７ｄのいずれかが光ディスク１０２を検知したか否かを判断し（ステップＳ１０２）、光ディスク１０２を検知したらローラ１０５の搬入方向への回転を開始して（ステップＳ１０３）、光ディスク１０２の引き込みを行う（ステップＳ１０４）。
一方、ステップＳ１０２において光ディスクを検知しない場合には、規定時間経過したか否かを判断し（ステップＳ１０５）、経過していない場合にはステップＳ１０２に戻って光ディスク１０２の検知を続行する。また、規定時間を経過した場合には、光ディスク１０２の挿入はないとして引き込み動作を終了する（ステップＳＥ）。
【特許文献１】特開２００３−２４８９９５号公報（図１、図２）
【発明の開示】
【発明が解決しようとする課題】
【０００６】
しかしながら、前述したような光ディスク装置１００においては、高価な受光素子１０７ａ、１０７ｂ、１０７ｃ、１０７ｄを用いているため光ディスク装置１００がコストアップしてしまうという問題があった。
また、従来のように、受光素子１０７ａ、１０７ｂ、１０７ｃ、１０７ｄが光ディスク１０２を検知してから挿脱用のローラ１０５の回転を開始する場合には、光ディスク１０２の搬入に遅れを生じたり、あるいは、光ディスク１０２がローラ１０５に接触してからローラ１０５の回転を開始する場合には、ローラ１０５や光ディスク１０２に負担がかかるという問題がある。
【０００７】
本発明は、従来の問題を解決するためになされたもので、コストダウンを図るとともにローラや光ディスクに負担をかけるのを防止することのできる光ディスク装置を提供することを目的とする。
【課題を解決するための手段】
【０００８】
本発明の光ディスク装置は、光ディスクを内部に積層収容可能な本体と、前記本体の内部に対して前記各光ディスクを挿脱可能な挿脱口と、前記本体の内部に設けられ、回転することにより前記光ディスクを前記本体の内部へ搬送するローラと、前記各光ディスクを前記本体の内部に順次収容する収容動作を開始させるための収容開始操作手段とを備える光ディスク装置であって、前記収容開始手段が操作されたときに前記ローラが回転を開始する構成を有している。
【０００９】
この構成により、光ディスクを本体内部に挿入して積層収容する際に、収容開始操作手段によって光ディスクの収容動作を開始させると、ローラが回転し始めて光ディスクの収容が可能な状態となる。その後、光ディスクを挿脱口から挿入して、順次光ディスクの収容動作を行う。
このため、従来のように、挿入される光ディスクを検知する高価な光センサを設ける必要がないため、光ディスク装置のコストダウンを図ることができる。
また、透過性の光ディスクの挿入も可能である。さらに、光ディスクを挿入する前に挿脱用のローラを回転させるので、光ディスクを検知してからローラの回転を開始する場合に比べて、迅速な挿入・収容が可能になるとともに、ローラや光ディスクへの負担を減少させることができる。
【００１０】
また、本発明にかかる光ディスク装置は、前記ローラが前記本体の内部における前面部に設置されている構成を有している。
【００１１】
この構成により、光ディスク挿脱用のローラを本体の前面部に設けるようにして、ローラよりも前の部分を小さくし、光ディスク装置全体のコンパクト化を図ることができる。
【発明の効果】
【００１２】
本発明は、収容開始手段が操作されたときに挿脱用のローラが回転を開始するようにしたことにより、従来のように、挿入される光ディスクを検知する高価な光センサを設ける必要がないため、光ディスク装置のコストダウンを図ることができるという効果を有する光ディスク装置を提供することができるものである。
また、光センサを用いないため、透過性の光ディスクの挿入も可能であり、さらに、光ディスクを挿入する前に挿脱用のローラを回転させるので、光ディスクを検知してからローラの回転を開始する場合に比べて、迅速な挿入・収容が可能になるとともに、ローラや光ディスクの負担を軽減することができる。
【発明を実施するための最良の形態】
【００１３】
以下、本発明の実施形態の光ディスク装置について、図面を用いて説明する。
図１には、本発明の実施形態の光ディスク装置１０を内蔵するカーオーディオ装置１の全体斜視図が示されている。このカーオーディオ装置１では、光ディスク装置１０のほかにラジオ２、カセットテープ再生装置３等を内蔵している。
光ディスク装置１０は、光ディスクの情報を読み取って再生したり、あるいは光ディスクに情報を記録するものである。
また、前面パネル４には、全機能に共用される表示部４ａや電源／ボリュームつまみ４ｂに加えて、光ディスク装置１０における光ディスク挿脱口１１、ラジオ用のチューニングつまみ２ａ、カセットテープ挿入口３ａ、光ディスク１２を本体１３の内部に順次収容する収容動作を開始させるための収容開始操作手段であるロードボタン６等が設けられている。内部には、ラジオ２、カセットテープ再生装置３、光ディスク装置１０等の各機能を制御する制御部５が設けられている。
【００１４】
図２には、カーオーディオ装置１に内蔵されている本発明の実施形態である光ディスク装置１０の、図１中II−II位置における断面図が示されている。
図２に示すように、光ディスク装置１０は、情報が記録された光ディスク１２を内部に収容可能な本体１３と、この本体１３の内部に対して光ディスク１２を挿脱可能な挿脱口１１（図１参照）と、本体１３の内部に設けられ、回転することにより搬送する一対のローラである挿脱ローラ１４、１４と、前述したロードボタン６とを備えている。本体１３の内部に光ディスク１２の周縁１２ａを検知する周縁検知手段２０を備えている。
【００１５】
本体１３の内部には、挿脱口１１から挿入された光ディスク１２の再生を行う図示省略の再生機構が設けられている。また、挿脱口１１から挿入される光ディスク１２を順次収容するための複数枚の図示省略のトレイが、上下移動自在かつ収容・取出し位置および再生位置等に位置決め自在に設けられている。
光ディスク１２を収容する際に、前面パネル４に設けられている収容開始操作手段であるロードボタン６を押すと、制御部５は挿脱ローラ１４を光ディスク１２の挿入方向へ回転させるので、それから順次光ディスク１２を挿入して収容する。
【００１６】
挿脱口１１には、光ディスク１２挿入前および挿入完了後には閉じる蓋１１ａ（図１参照）が設けられており、挿脱口１１から本体１３内部へのほこり等の侵入を防止している。
また、一対の挿脱ローラ１４、１４は本体１３内部における前面部、例えば前面パネル４のすぐ裏側付近に設けられている。なお、挿脱ローラ１４、１４は、制御部５（図１参照）の制御によって作動する図示省略の駆動手段により正逆に回転駆動されるシャフト１５に所定間隔で固定されている。
【００１７】
なお、一対の挿脱ローラ１４、１４の下方（図２において紙面直交方向裏側）には、光ディスク１２を挿脱ローラ１４に押圧して挟持するために図示省略のフリーローラが、挿脱ローラ１４との間に光ディスク１２の厚さよりも小さな間隔を保持して回転自在に設けられている。
従って、駆動手段によりシャフト１５を回転駆動し、一対の挿脱ローラ１４、１４とフリーローラとの協働により、光ディスク１２の挿脱を行う。
【００１８】
周縁検知手段２０は、本体１３の内部における光ディスク１２を再生する再生位置の中心ＣＰと、挿脱口１１との間に配置されている。この周縁検知手段２０は、光ディスク１２の周縁１２ａに接触可能な機械式センサであり、光ディスクの挿脱方向に対して交差する方向に沿って一対設けられている。
すなわち、図２に示すように、一対の挿脱ローラ１４、１４の本体１３内部側において、光ディスク挿脱方向（図２中矢印で表示）の左右両側に各々周縁検知器２１Ｌ、２１Ｒが設けられており、両周縁検知器２１Ｌ、２１Ｒが光ディスク１２の周縁１２ａを検知する。
【００１９】
ここで、各周縁検知器２１Ｌ、２１Ｒは、収容される光ディスク１２の光ディスク面１２ｂに直交する方向（図２において紙面直交方向）に回動軸２２ａが配置された例えば機械式センサである回転式位置検出器２２Ｌ、２２Ｒと、回動軸２２ａに設けられて光ディスク１２の周縁１２ａに接触可能なアーム２３Ｌ、２３Ｒとを有している。
各アーム２３Ｌ、２３Ｒの先端には、光ディスク１２の周縁１２ａに接触する検出ローラ２４が回転自在に設けられており、両アーム２３Ｌ、２３Ｒは検出ローラ２４を光ディスク１２の周縁１２ａに押し付ける方向に、例えばバネ等の付勢手段によって常時付勢されている。
【００２０】
従って、光ディスク１２の挿脱により検出ローラ２４が光ディスク１２の周縁１２ａに接触し、アーム２３Ｌ、２３Ｒを回動軸２２ａを中心として回動させる。
回転式位置検出器２２Ｌ、２２Ｒは、アーム２３Ｌ、２３Ｒの初期位置（図２において実線で表示）からの回動角度θＬ、θＲを、アーム２３Ｌ、２３Ｒの回動に伴う抵抗値の変化あるいは電流や電圧の変化として制御部に出力する。光ディスク１２を挿入して、再生・収容位置まで完全に引き込まれると、左右のアーム２３Ｌ、２３Ｒの検出ローラ２４が光ディスク１２の周縁１２ａから離れるとともに、図示省略の完全引き込み検知手段により光ディスク１２が検知されると、次の光ディスク１２の挿入が可能になる。
【００２１】
以上のように構成された光ディスク装置について、図３を用いてその動作を説明する。
図３に示すように、スタートしたら（ステップＳＳ）、ロードボタン６を押して光ディスク１２の収容収容動作を開始することを示す（ステップＳ１）。
ロードボタン６が押されたら制御部５は駆動手段によりシャフト１５を回転させて挿脱ローラ１４を引き込み方向に回転させて（ステップＳ２）、光ディスク１２を本体１３内部に引き込む。周縁検出器２１Ｌ、２１Ｒのアーム２３Ｌ、２３Ｒが光ディスク１２の周縁１２ａに接触して回動しているか否かを判断し（ステップＳ３）、アーム２３Ｌ、２３Ｒが回動していると判断された場合には、光ディスク１２の引き込みに伴ってアーム１２を回転式位置検出器２２Ｌ、２２Ｒの回動軸２２ａ回りに回動させているとして、引き込みを継続する（ステップＳ４）。
【００２２】
一方、ステップＳ３においてアーム２３Ｌ、２３Ｒが回動していないと判断された場合には、例えばロードボタン６を押した時点あるいは前回アーム２３Ｌ、２３Ｒが回動していないと判断された時点等から規定時間が経過したか否かを判断する（ステップＳ５）。
規定時間を経過していない場合には、ステップＳ３に戻ってアーム２３Ｌ、２３Ｒが回動しているか否かを監視する。
ステップＳ５において規定時間を経過したと判断された場合には、光ディスク１２は挿入されないと判断して、挿脱ローラ１４の回転を停止して（ステップＳ６）、光ディスク引き込み動作を完了する（ステップＳＥ）。
【００２３】
以上のように本発明の実施形態の光ディスク装置１０によれば、収容開始手段であるロードボタン６が操作されたときに挿脱ローラ１４が回転を開始するようにしたので、従来のように、挿入される光ディスクを検知する高価な光センサを設ける必要がなく、光ディスク装置のコストダウンを図ることができるという効果を有する光ディスク装置を提供することができるものである。
また、本発明では光センサを用いることなくディスクを検知できるため、従来のものでは誤検知してディスク収納前に排出していたような、例えばディスク中央部分の狭い範囲にのみデータエリアを有しその外側エリアが透光性部材でできている１２ｃｍディスクなどの挿入も可能であり、さらに、ディスク１２を挿入する前に挿脱ローラ１４を回転させるので、ディスク１２を検知してから挿脱ローラ１４の回転を開始する場合に比べて、迅速な挿入・収容が可能になる。
【００２４】
なお、以上の説明では、光ディスク装置１０がラジオ２やカセットテープ再生装置３等を備えたカーオーディオ装置１に内蔵されている場合について説明したが、その他、光ディスク装置１０が単独の場合についても、あるいは光ディスクに対して情報を記録することが可能なディスク記録装置に対しても同様に実施可能である。
また、以上の説明では、１２ｃｍディスク専用のディスク記録再生装置を例に挙げて説明したため、本実施の形態のディスク再生装置では１２ｃｍディスク以外のディスクが挿入されたことを検知した場合、そのディスクを排出するために、排出動作へ移行するよう制御をおこなっていたが、１２ｃｍディスクのみならず、８ｃｍディスクや異形ディスクの記録再生を行える装置に本発明を応用しても良く、その場合、８ｃｍディスクや異形ディスクを検出した次の制御として、例えば８ｃｍディスク用または異形ディスク用のトレイが１２ｃｍディスク用のトレイとは別に設けられているようなディスク装置であれば、ディスクを８ｃｍディスク用または異形ディスク用トレイに移送させる移動動作に移行するよう制御するなどとすればよい。
【００２５】
さらに、別の形態の機械式の周縁検知手段としては、例えば直線式位置検出器を用いることができる。この直線式位置検出器では、光ディスクの周縁に当接することにより直線的に摺動可能なアームを検出子として備えた摺動抵抗を有しており、アームはおのおのスプリングにより中央側の原点位置に向けて付勢されている。
従って、光ディスクを挿入すると、中央部にあったアームは左右に押し広げられて、光ディスクの最大幅である外径（ここでは１２ｃｍ）を検出することができる。同様にして、両アームの最大間隔が８ｃｍであると、８ｃｍの光ディスクであることが検出される。
【産業上の利用可能性】
【００２６】
以上のように、本発明に係る光ディスク装置は、光ディスク装置のコストダウンを図ることができ、また、透過性の光ディスクの挿入も可能であり、さらに、光ディスクを挿入する前に挿脱用のローラを回転させるので、迅速な挿入・収容が可能で光ディスクやローラの負担を軽減することができるという効果を有し、複数枚の光ディスクを本体内部に順次積層収容することのできる光ディスク装置として有用である。
【図面の簡単な説明】
【００２７】
【図１】本発明の実施の形態における光ディスク装置を内蔵するカーオーディオ装置の全体斜視図である。
【図２】光ディスクが完全に再生・収容位置まで引き込まれた状態を示す平面図である。
【図３】本発明に係る光ディスク装置における光ディスク挿入動作の手順を示すフローチャートである。
【図４】従来の光ディスク装置の要部平面図である。
【図５】図４中Ｖ方向から見た正面図である。
【図６】従来の光ディスク装置における光ディスク挿入動作の手順を示すフローチャートである。
【符号の説明】
【００２８】
６  ロードボタン（収容開始操作手段）
１０  光ディスク装置
１１  挿脱口
１２  光ディスク
１３  本体
１４  挿脱ローラ（ローラ）
【図１】
2005327418.tif 000003
【図２】
2005327418.tif 000004
【図３】
2005327418.tif 000005
【図４】
2005327418.tif 000006
【図５】
2005327418.tif 000007
【図６】
2005327418.tif 000008